(57)【要約】【課題】カーテンを洗濯しても形態保持に効果があり、かつ家庭で手軽にカーテンを洗濯できるカーテン用洗濯ネットを提供することを目的とする。【解決手段】本発明のカーテン用洗濯ネットは、網目状の布帛からなり、少なくとも１つの開口部を備えた袋状又は筒状の洗濯ネットにおいて、前記布帛にはカーテン上部を交互にたたんで結束するための結束手段及び前記カーテンの上部から下部の間の少なくとも一か所を結束するための結束手段を備えてなる。【選択図】図１
2016144532.tif 000002
【特許請求の範囲】
【請求項１】
網目状の布帛からなり、少なくとも１つの開口部を備えた袋状又は筒状の洗濯ネットにおいて、前記布帛にはカーテン上部を交互にたたんで結束するための結束手段及び前記カーテンの上部から下部の間の少なくとも一か所を結束するための結束手段を備えていることを特徴とするカーテン用洗濯ネット。
【請求項２】
前記洗濯ネットの外観は略矩形状であり、前記開口部は、前記略矩形の短辺と長辺が接する角部から該角部の対角部に向かって開口し、前記開口部には開閉手段を備え、該開閉手段がファスナーであることを特徴とする請求項１に記載のカーテン用洗濯ネット。
【請求項３】
前記結束手段が紐状物、面ファスナー結束テープ、樹脂製バンドの群から選ばれる少なくとも１つである請求項１または２に記載のカーテン用洗濯ネット。
【発明の詳細な説明】
【技術分野】
【０００１】
本発明は、カーテン用洗濯ネットに関する。詳しくは形態安定加工が施されたカーテンの形態保持性に有効で、家庭でも手軽に洗濯できるカーテン用洗濯ネットに関する。
【背景技術】
【０００２】
カーテンは遮光や保温等の機能だけでなく室内のインテアとしても利用されている。そのため、カーテンには、色、柄などのデザインとともにカーテン全体にわたって縦方向にウェーブが形成されたカーテンが知られている。このカーテンは、一般に形態安定加工や形態加工と称する繊維の熱可塑性を応用したヒートセット加工（以降「形態安定加工」という）が施され、縦方向にウェーブが形成されており、しかも経時的にウェーブがほどよく保たれることからカーテンの外観品位に優れる。
【０００３】
一方、従来からカーテンを洗濯する際の、カーテンの上部に被せるネット袋において、ネット袋の口には結束具が取り付けられているカーテン用洗濯ネットが公知である（特許文献１）。また、網袋の中に布袋を設け、カーテンの金具を取り外すことなく洗濯機でカーテンが洗える網袋が公知である（特許文献２）。
【０００４】
しかしながら、特許文献１のカーテン用洗濯ネットはフックを取り外さずに洗濯できるものの、カーテンの上部に被せるだけなので、形態安定加工が施されたカーテン全体の乱れについて考慮されたものではなかった。
【０００５】
さらに、特許文献２に記載の網袋は網袋の中に設けられた布袋の中にカーテンの取り付け金具のある上部を収め、しかもカーテン全体は網袋に入れてしまうので、金具を取り外すことなくカーテンを洗濯することができるものの、カーテンの金具は袋内で、カーテン本体は網袋内でそれぞれ動きまわるので、カーテンの形態の崩れを積極的に抑制すものとは言い難かった。
【０００６】
また、いずれの従来技術もカーテンのフック等は取り外すことなく洗濯することができることからフック等の脱着にかかる手間とフック等を紛失する心配は解消されるが、洗濯時にカーテンの形態を崩してしまい易く、カーテン生地の損傷や樹脂製フックが破損するおそれがあった。
【先行技術文献】
【特許文献】
【０００７】
【特許文献１】実開平０６−００３２８５号公報
【特許文献２】特開平１０−１３７４８５号公報
【発明の概要】
【発明が解決しようとする課題】
【０００８】
本発明は、かかる技術的背景に鑑みてなされたものであって、カーテンを洗濯しても形態保持に効果があり、かつ家庭で手軽にカーテンを洗濯できるカーテン用洗濯ネットを提供することを目的とする。
【課題を解決するための手段】
【０００９】
本発明者らは、このような課題を解決するために鋭意検討の結果、網目状の布帛からなる少なくとも１つの開口部を備えた袋状又は筒状の洗濯ネットの布帛にカーテン上部を交互にたたんで結束するための結束手段及び前記カーテンの上部から下部の間の少なくとも一か所を結束するための結束手段を備えることで、カーテンの形態保持性に優れ、カーテンレールからカーテンをはずす作業が軽減され、しかもカーテンフック等をはずすことなく家庭で手軽に洗濯するができることを見出した。本発明は以下の手段を提供する。
【００１０】
［１］網目状の布帛からなり、少なくとも１つの開口部を備えた袋状又は筒状の洗濯ネットにおいて、前記布帛にはカーテン上部を交互にたたんで結束するための結束手段及び前記カーテンの上部から下部の間の少なくとも一か所を結束するための結束手段を備えていることを特徴とするカーテン用洗濯ネット。
【００１１】
［２］前記洗濯ネットの外観は略矩形状であり、前記開口部は、前記略矩形の短辺と長辺が接する角部から該角部の対角部に向かって開口し、前記開口部には開閉手段を備え、該開閉手段がファスナーであることを特徴とする前項１に記載のカーテン用洗濯ネット。
【００１２】
［３］前記結束手段が紐状物、面ファスナー結束テープ、樹脂製バンドの群から選ばれる少なくとも１つである前項１または２に記載のカーテン用洗濯ネット。
【発明の効果】
【００１３】
［１］の発明では、網目状の布帛からなり、少なくとも１つの開口部を備えた袋状又は筒状の洗濯ネットにおいて、前記布帛に結束手段を備えているので、交互にたたまれたカーテン上部を結束手段で縛ることで、カーテンフック等をカーテンからはずすことなく洗濯することができる。また、前記カーテンの上部から下部の間の少なくとも一か所を結束するための結束手段を備えているので、形態安定加工が施されたカーテンの縦方向のウェーブの形態を保持しつつ結束することができる。すなわち、カーテンレールに吊り下げられたカーテンを作業がし易い位置に寄せたのちに、カーテンフックを取り外すことなくカーテン上部を交互にたたんで、併せて縦方向のウェーブを整えてカーテンの裾からカーテン用洗濯ネットの開口部に入れていくことでカーテンに洗濯ネットを被せることができるので、一人作業であっても作業がし易い。そして、カーテン上部以外を結束してから、カーテンレールからカーテンを取り外して床等に置いてから、交互にたたんだカーテン上部を結束する。このようにカーテンの形態保持性に優れ、カーテンレールからカーテンをはずす作業が軽減され、しかもカーテンフック等をはずす手間もかからず家庭で手軽に洗濯するができるカーテン用洗濯ネットとすることができる。
【００１４】
［２］の発明では、洗濯ネットの外観が略矩形状であり、開口部が前記略矩形の短辺と長辺が接する角部から該角部の対角部に向かって開口しているので、カーテンの裾を始め、カーテン全体を簡単に入れて収納することができる。さらに、開口部にファスナーを備えているので、カーテンの形態を整えたうえで、容易にしかも確実に洗濯ネットを閉じることができるので、洗濯の際にネット内からカーテンがとび出してしまうのを防止することができる。
【００１５】
［３］の発明では、結束手段が紐状物、面ファスナー結束テープ、樹脂製バンドの群から選ばれる少なくとも１つであるので、結束程度を調節できるうえに確実に束ねることができるので、洗濯の際に洗濯ネット内でカーテンフックが過度に動いたり、とび出してしまうのを抑制できカーテン生地を傷めてしまうのを防止できる。さらにカーテンの各部が洗濯ネット内で過度に暴れて形態が崩れたりすることを防げる。
【図面の簡単な説明】
【００１６】
【図１】本発明に係るカーテン用洗濯ネットの一実施形態を示す説明図（表面）である。
【図２】図１のカーテン用洗濯ネットの説明図（裏面）である。
【発明を実施するための形態】
【００１７】
本発明に係るカーテン用洗濯ネット１の一実施形態を図１〜２に示す。このカーテン用洗濯ネット１は、網目状の布帛２からなり、少なくとも１つの開口部３を備えた袋状又は筒状の洗濯ネットにおいて、前記布帛２にはカーテン上部を交互にたたんで結束するための結束手段４及び前記カーテンの上部から下部の間の少なくとも一か所を結束するための結束手段５を備えている。
【００１８】
網目状の布帛２として、洗濯機のなかで洗濯中に洗剤や水を通す網目状の布帛であれば特に限定されることはないが、例えば、織物、編物、不織布を挙げることができる。また、布帛を構成する素材も特に限定されることはないが、ポリエステル繊維、ナイロン繊維、綿、レーヨン繊維等を挙げることができる。中でも、ポリエステル繊維からなる編物が好ましく、網目のサイズとしては直径３ｍｍ〜１０ｍｍが好ましい。
【００１９】
本実施形態では、開口部３が略矩形の短辺と長辺が接する角部から該角部の対角部に向かって開口するようになっているが、特にこのような形態に限定されるものではない。開口部３をカーテンを入れる側のカーテン用洗濯ネット１の短辺部又は短辺付近に設ければ良いし、短辺部を含む短辺部付近から長辺部を含む長辺部付近に向けて設けるのが好ましい。こうすることで、カーテンを収納する際に作業が面倒にならずにスムーズに行える。さらに、三方すなわち、長辺部から短辺部から長辺部の三方を開口しても良い。
【００２０】
本実施形態では、結束手段４及び結束手段５として紐状物が採用され、該紐状物を通すためのループ４′が設けられているが、特にこのような形態に限定されるものではない。確実に結束できるとともに扱いが容易であるものが好ましい。例えば、結束手段として紐状物、面ファスナー結束テープ、又は樹脂製バンドが好ましい。
【００２１】
また本実施形態では、紐状物が採用され、該紐状物を通すためのループ４′が設けられているので、結束した箇所のズレを防止できることもあり確実に結束できる。このように、ズレを防止することが好ましい。さらに、ループ４′を設けることで、結束の程度を調整し易く、また紐ばかりが多くなり過ぎるのを抑えることができるので好ましい。さらに、紐で長さを調整する際に、力加減で程よく結束できるので好ましい。
【００２２】
本実施形態では、結束手段４がカーテン用洗濯ネット１の表面に１組、結束手段５がカーテン用洗濯ネット１の裏面に４組設けられているが、特にこのような形態に限定されるものではない。カーテン用洗濯ネット１にカーテンを収納したのちに山折り谷折りを交互にたたむのが好ましいので、一般家庭で主に用いられるカーテンの丈の長さから結束手段５を少なくとも４か所に設けるのが好ましい。一方、結束手段４は交互にたたまれたカーテン上部を結束するので、少なくとも１か所に設けるのが好ましい。結束手段４によってカーテン上部を結束するので、カーテンフックはしっかりと固定されるため、カーテンフック周辺の生地を傷めるおそれを抑制することができる。
【００２３】
また、結束手段４と結束手段５とは同じ面に設けても良いし反対面に設けても良い。作業手順がわかりやすいことから反対面に設けるのが好ましい。すなわち、カーテンをカーテン用洗濯ネット１に収納し、結束手段５によってカーテンとカーテン用洗濯ネット１一体として結束したのち、カーテンレールから取り外し、最後にカーテン上部を結束手段４によって結束する場合に、一目でどの部分を結束すれば良いかを容易に認識することができるので好ましい。
【００２４】
本実施形態では、カーテン用洗濯ネット１の外観は略矩形状が採用されているが、特にこのような形態に限定されるものではない。一般的にカーテンを縦方向のウェーブを整えながら幅方向を寄せると、おおむね矩形状になることから略矩形状が好ましい。
【００２５】
また、開口部３として、前記略矩形の短辺と長辺が接する角部から該角部の対角部に向かって開く開口部が採用されているが、特にこのような形態に限定されるものではない。カーテンの裾及びカーテン全体を簡単に入れることができるので、前記略矩形の短辺と長辺が接する角部から該角部の対角部に向かって開口するのが好ましい。
【００２６】
さらに、開口部３には開閉手段を備えファスナーが採用されているが、特にこのような形態に限定されるものではない。容易にしかも確実に洗濯ネットを閉じることができることから、開閉手段としてファスナーが好ましい手段である。
【００２７】
カーテン用洗濯ネット１の大きさとしては、一般に、カーテンのサイズは最大幅３００ｃｍ×最大丈が２２０ｃｍ程度であるならば、幅３０ｃｍ×丈２３０ｃｍ程のサイズであれば十分であり、カーテンの収納及び取り出しが不便になることもない。また丈の短いカーテン用としては、カーテン用洗濯ネット１の大きさは幅３０ｃｍ×カーテン丈＋（１０〜３５ｃｍ）程が好ましいが、洗濯ネットの丈方向が余ったとしても容易にたためるので丈の短いカーテンにも対応することができる。こうしてカーテンレールに吊り下げられたカーテンを寄せて、カーテンの裾からカーテン用洗濯ネット１を被せる際に徒に手間取ることなく作業を行えるので好ましい。
【００２８】
さらに、本発明のカーテン用洗濯ネット１に収納され、結束手段４及び５により結束された状態のカーテンの長手方向を二つ折りにし、さらに略Ｍ字になるよう、すなわち山折り谷折りが交互になるようたたむのが好ましい。こうすることで一般的な家庭用洗濯で手軽に洗濯することができる。なお、略Ｍ字に折りたたんだカーテンを、従来の洗濯ネットに入れて洗濯すれば良く、さらに折りたたんだ状態が過度に崩れない程度に結束手段で結束して洗濯しても良い。
【実施例】
【００２９】
次に、本初発明の実施例について説明するが、本発明はこれらの実施例に特に限定されるものではない。
【００３０】
＜評価方法＞
幅が１５０ｃｍ×丈が２２０ｃｍのカーテン（経糸に５０／１ｄのポリエステルマルチフィラメント、緯糸に１０００／１ｄのポリエステルマルチフィラメント糸を使用し、経糸密度２２０本／吋、緯糸密度３３本／吋にてジャガード織機で目付３３０ｇ／ｍ２で織成した織物から仕立てた）に形態安定加工（開放型の専用装置で蒸気温度１１０℃、４５秒間処理）を施し、吊り下げ用のフックを取り付け、評価用カーテンとした。洗濯は、家庭用の洗濯機（９Ｋｇ用）にて弱水流の強さで１０分間洗濯した。洗濯を５回繰り返してしたのち、３０秒脱水してからカーテンレールに吊り下げ、丈方向に裾を手で３回引っ張り簡単に形を整え、そのまま室温２１℃〜２７℃の雰囲気下で、２４時間放置・乾燥してからカーテンの外観（縦方向のウェーブ）と、カーテンフック周辺の生地の損傷を目視により観察し次の基準でそれぞれ評価した。評価が「○」以上を合格とした。
（形態安定性評価）  
「◎」：崩れは認められない。
「○」：わずかな崩れはあるものの、一見気にならない。
「△」：崩れが認められた。
「×」：ひどい崩認められた。
（カーテンフック周辺の生地の損傷）
「◎」：引っ掻き傷は全く認められなかった。
「○」：わずかな引っ掻き傷が認められた。
「×」：引っ掻き傷が認められた。
【００３１】
＜実施例１＞
布帛として、網目（直径約４ｍｍの略円形）状の編地を裁断縫製して外観が略矩形状になるようにした。その後、上部の短辺と長辺が接する角部から対角となる角部に向かって開口部を設けファスナー（図示せず）を取り付けた。さらに、図１に示すように、紐を上部に４本縫い付け、紐を通すためのループ４′を２つ１セットとして、４箇所表側に縫い付けた。また、図２に示すように、裏面側にはループ４′を２つ１セットとして上部に縫い付け、紐を４本ずつ４箇所に縫い付けてカーテン用洗濯ネットを得た。カーテン用洗濯ネットのサイズは、幅３０ｃｍ（短辺）×丈２３０ｃｍ（長辺）であった。カーテンレールに吊るされた評価用カーテンを、フックをカーテンから取り外さずにウェーブに沿ってたたみながら一箇所に寄せたのち、洗濯ネットをカーテンの裾から通してカーテンの上部まで被せた。カーテン上部以外の紐を結んだ。詳しくは、一箇所当たり４本の紐は、２本を一組として片方をループに通してから、もう一方の紐と結び、残りの２本も同様にして結んだ。残りの３箇所についても同様にして結んだ。その後、洗濯ネットに収納したカーテンの中ほどを肩にかけ、カーテンフックをカーテンレールから外してカーテンを下した。一人で容易に下すことができた。その後、フックが付いたままのカーテン上部を先程と同様に紐で結んでから、概ね二つ折にし、さらに略Ｍ字になるよう、すなわち山折り谷折りが交互になるようにして全部で３回折りたたんだ。洗濯ネットに収納されているため容易にたたむことができた。カーテンを折りたたんだ状態が過度に崩れないように紐で結んで洗濯した。上述の評価方法により評価した結果は、「形態安定性」は「◎」、「カーテンフック周辺の生地の損傷」は「◎」であっていずれも合格であった。
【００３２】
＜実施例２＞
実施例１において、直径約６．５ｍｍの略円形の網目の編地を用いて、開口部を上部の短辺部にだけ設け、カーテン上部以外の結束手段を下部に１箇所設けた以外は実施例１と同様にしてカーテン用洗濯ネットを得た。この洗濯ネットをカーテンの裾から通してカーテンの上部まで被せる際に実施例１よりも少し工夫しながら丁寧に被せた以外は、実施例１と同様にした。評価結果は、「形態安定性」は「○」、「カーテンフック周辺の生地の損傷」は「◎」であり、いずれも合格であった。
【００３３】
＜実施例３＞
実施例２において、カーテン下部以外の３辺を開口部とし、結束手段として紐を面ファスナーに替え、カーテン上部以外の結束手段はほぼ均等に３箇所設けた以外は実施例２と同様にしてカーテン用洗濯ネットを得た。この洗濯ネットをカーテンの裾から通してカーテンの上部まで被せる際に、３辺とも開口しているので実施例１よりも楽に被せることができ、面ファスナーで簡便に結束することがた以外は、実施例１と同様にした。評価結果は、「形態安定性」は「◎」、「カーテンフック周辺の生地の損傷」は「◎」であり、いずれも合格であった。
【００３４】
＜実施例４＞
実施例１において、目の粗い（４ｍｍ）織物を用いて、結束手段として紐を樹脂バンドに替えた以外は実施例１と同様にしてカーテン用洗濯ネットを得た。この洗濯ネットでは樹脂バンドで結束した以外は、実施例１と同様にした。評価結果は、「形態安定性」は「○」、「カーテンフック周辺の生地の損傷」は「◎」であり、いずれも合格であった。
【００３５】
＜比較例１＞
カーテンフックをカーテンレールから外してカーテンを下した。洗濯ネットに収納することなく、カーテンにフックが付いたそのまま洗濯した。カーテンをカーテンレールから外して下すのは比較的容易であったものの、一人でカーテンをたたむのは大変だったので二人でたたんだ。評価結果は、「形態安定性」は「×」、「カーテンフック周辺の生地の損傷」は「×」であり、いずれも不合格であった。
【００３６】
＜比較例２＞
カーテンフックをカーテンレールから取外してカーテンを下した。洗濯ネットに収納することなく、実施例１の洗濯ネットに用いたのと同じ紐で、実施例１と同様の部分を４箇所結んで、カーテンにフックが付いたそのまま洗濯機に入れた洗濯した。洗濯後には紐の位置がずれてしまっていたし、他の紐は解けていた。カーテンの取り扱いは比較例１と同様で、二人でたたむなど容易ではなかった。評価結果は、「形態安定性」は「×」、「カーテンフック周辺の生地の損傷」は「×」であり、いずれも不合格であった。
【００３７】
＜比較例３＞
幅４５ｃｍ×丈７０ｃｍの市販の洗濯ネットに、比較例１と同様にしたカーテンを収納して洗濯した。カーテンの取り扱いは比較例１と同様で、二人でたたむなど容易ではなかった。評価結果は、「カーテンフック周辺の生地の損傷」は「○」で合格であったものの、「形態安定性」は「△」で不合格であった。
【産業上の利用可能性】
【００３８】
本発明は、家庭での作業負担が軽減され、カーテンの形態保持性に優れた効果があり、しかも手軽にカーテンを洗うためのカーテン用洗濯ネットとして使用することができる。
【符号の説明】
【００３９】
１・・・カーテン用洗濯ネット
２・・・布帛
３・・・開口部
４・・・結束手段（上部用）
４´・・・ループ
５・・・結束手段（上部用以外）
６・・・開閉手段
【図１】
2016144532.tif 000003
【図２】
2016144532.tif 000004